(57)【要約】【課題】紫外光を用いることなくCOP同士又はCOPとガラス等から成るマイクロ流路チップを作製するとともに、同時に、マイクロ流路チップの特性に変化を与えることなく滅菌も行うことのできる方法を提供する。【解決手段】シクロオレフィンポリマー（COP）である第１板と、COP又はガラス等である第２板を接合して成るマイクロ流路チップを製造する方法であって、前記第１板及び前記第２板のいずれか一方の板の一方の面である流路形成面に流路を、他方の板に導入口・排出口（開口）を、それぞれ形成し（ステップＳ１）、前記流路形成面、及び、該流路形成面に対向する面である閉鎖面を、それらの温度が40〜100℃となるようにしつつ、H2Oプラズマに曝すことにより滅菌する（Ｓ２）。その後、前記流路形成面と閉鎖面を合わせ、前記第１板と前記第２板を接合する（Ｓ３）ことによりマイクロ流路チップを得る。【選択図】図３
2020011304.tif 000002
【特許請求の範囲】
【請求項１】
シクロオレフィンポリマーである第１板と、シクロオレフィンポリマー又はその他の材料から成る第２板を接合して成るマイクロ流路チップを製造する方法であって、
前記第１板及び前記第２板のいずれか一方の板の一方の面である流路形成面に流路を形成するステップと、
前記流路形成面、及び、前記第１板及び前記第２板の他方の、前記流路形成面に対向する面である閉鎖面の温度が40〜100℃の状態で前記流路形成面及び前記閉鎖面をH2Oプラズマに曝すことにより滅菌するステップと、
前記流路形成面と前記閉鎖面を合わせ、前記第１板と前記第２板を接合するステップと
を含むことを特徴とするマイクロ流路チップ製造方法。
【請求項２】
前記H2Oプラズマに曝すステップにおけるH2Oプラズマの圧力が50〜150Paの範囲内の値であることを特徴とする請求項１に記載のマイクロ流路チップ製造方法。
【請求項３】
前記H2Oプラズマに曝すステップがプラズマ発生用の電極に高周波電力を印加することにより行われるステップであって、前記高周波電力が5〜500mW/cm2の範囲内の値であることを特徴とする請求項１又は２に記載のマイクロ流路チップ製造方法。
【請求項４】
前記H2Oプラズマに曝すステップにおける両接合面をH2Oプラズマに曝す時間が20〜70分の範囲内の値であることを特徴とする請求項１〜３のいずれかに記載のマイクロ流路チップ製造方法。
【発明の詳細な説明】
【技術分野】
【０００１】
本発明は、タンパク質やDNA等を含む生体試料を主に対象とする分析を行うために用いられるマイクロ流路チップの製造方法に関する。
【背景技術】
【０００２】
半導体製造技術を応用したMEMS（Micro Electro Mechanical Systems、微小電気機械システム）技術を用いて製造されるマイクロ流路チップ（μTASやLab-on-Chipとも呼ばれる。）は、微少量の試料の分析を行う際等に広く用いられる。また、様々な形態の流路を形成することができることから、複雑な処理を含む分析にも対応することができる。
【０００３】
マイクロ流路チップの流路を流れる試料の分析には様々な手法が用いられるが、簡便であることから、光透過率や屈折率の相違・変化により試料の分析を行う光学的手法が多く用いられる。この場合、マイクロ流路チップ自体が高い透過率を有する等の良好な光学的特性を持つことが求められるが、それに適した材料として、飽和炭化水素系の非晶質プラスチックであるシクロオレフィンポリマー(COP)が知られている。COPは、可視光領域において透明で複屈折が小さいという優れた光学的特性を有する上、バックグラウンドの蛍光強度がガラスに匹敵するほど低いことから、蛍光検出系のマイクロ流路チップへの利用にも適している。さらには、水による膨張が少ない点も、マイクロ流路チップへの利用に適した特性として挙げることができる。なお、その共重合体であるシクロオレフィンコポリマー(COC)も、これらの点についてはほぼ同様の特性を持つことから、本明細書ではシクロオレフィンポリマー(COP)にはシクロオレフィンコポリマー(COC)が含まれるとして扱う。
【０００４】
ただ、COPは疎水性樹脂であり、濡れ性や接着性が低いことから、マイクロ流路チップとして使用する際には流路が狭くなるにつれて試料の流通抵抗が大きくなり、また、製造時には接着において困難を伴う。そこで、エキシマUV光を照射することにより表面を改質して濡れ性を持たせ、接着剤を使用することなくCOP同士を接合する技術が報告されている（非特許文献１）。
【０００５】
また、チャンバに被処理物を入れるステップと、チャンバを減圧にするステップと、チャンバに水蒸気を導入するステップと、チャンバに電磁線エネルギーを印加しプラズマを発生させるステップとを含む殺菌方法が提案されている。この滅菌方法ではチャンバ内部の温度は約25℃〜100℃の範囲が好ましいとされている（特許文献２）。
さらに、真空滅菌チャンバ内に被処理物を入れ水蒸気から生成したプラズマの中性活動種に曝露する誘導ガスプラズマ滅菌法が提案されている。この滅菌方法では、滅菌チャンバの温度は、100℃以下、好適には、約35℃から約82℃の範囲に維持されることが開示されている（特許文献３）。
さらに、低気圧に維持した収納手段に水蒸気ガスを供給し、水蒸気ガスの酸素をラジカル生成手段によりラジカル化してヒドロキシ（ＯＨ）ラジカル及び酸素（Ｏ）ラジカルを生成することで医療器具を滅菌する方法が提案されている（特許文献４）。
【先行技術文献】
【特許文献】
【０００６】
【特許文献１】特開2007-309868号公報
【特許文献２】特表平11-501530号公報
【特許文献３】特表平11-506677号公報
【特許文献４】再表2007-013160号公報
【非特許文献】
【０００７】
【非特許文献１】「光表面活性化によるシクロオレフィンポリマーの接合：接合強度評価とマイクロ流路への応用」、谷口義尚他、表面技術 Vol. 65(2014), No. 5, p. 234-239
【発明の概要】
【発明が解決しようとする課題】
【０００８】
非特許文献１に記載の方法では、COPの表面にエキシマUV光を照射した後、更に加圧や加熱を施す必要がある。例えば、3N/cm2以上の接合強度を得るためには3.6MPa以上の加圧及び70℃以上の加熱を必要とするとされている。しかし、マイクロ流路チップを製造する場合には、このような加圧や加熱によって流路のパターンが変形したり、親水化された表面が疎水性になってしまう可能性がある。また、この方法で十分な接合強度を得るためには、エキシマUV光の照射時間を3分以上とすることが望ましい、ともされているが、エキシマUV光の照射時間が長くなるにつれてCOPの蛍光強度が高くなるため、蛍光検出系のマイクロ流路チップを対象とする場合、3分以上のエキシマUV光の照射は好ましくない。
【０００９】
一方、マイクロ流路チップをタンパク質やDNA等を含む生体試料を対象とした分析に用いる場合、試料の細菌による変性を防ぐために流路を滅菌する必要がある。滅菌には一般的に高温蒸気やガスを用いた方法が多く用いられるが、マイクロ流路チップの場合、その狭い流路の内部に十分な量の蒸気やガスを流通させることが難しく、滅菌時間が長くなる傾向がある。また、エチレンオキサイドガス（EOG）を用いた滅菌では、滅菌後にも、有害なEOGを除去するためのエアレーションと呼ばれる除去工程に長い時間を要する。更に、マイクロ流路チップの構成材料がガラス等の無機体ではなく、COPという樹脂材料である場合、高温の蒸気を使用すると、熱の影響によって微細な流路が変形するおそれがある。高いスループットで滅菌処理を行うことができる方法として電子線を照射する方法もあるが、COP等の樹脂材料を素材とするマイクロ流路チップの場合、電子線により樹脂材料の透明度が低下する傾向があり、流路内の試料を光学的に分析する際に、分析結果に影響が生じる恐れがある。
【００１０】
本発明はこれらの課題を解決するために成されたものであり、その目的とするところは、紫外光を用いることなくCOP同士又はCOPとガラスから成るマイクロ流路チップを作製するとともに、同時に、マイクロ流路チップの特性に変化を与えることなく滅菌も行うことのできる方法を提供することである。
【課題を解決するための手段】
【００１１】
上記課題を解決するために成された本発明は、シクロオレフィンポリマー(COP)から成る第１板と、COP又はその他の材料から成る第２板を接合して成るマイクロ流路チップを製造する方法であって、
前記第１板及び前記第２板のいずれか一方の板の一方の面である流路形成面に流路を形成するステップと、
前記流路形成面、及び、前記第１板及び前記第２板の他方の板の、前記流路形成面に対向する面である閉鎖面を、温度が40〜100℃のH2Oプラズマに曝すことにより滅菌するステップと、
前記流路形成面と閉鎖面を合わせ、前記第１板と前記第２板を接合するステップと
を含むことを特徴とする。
【００１２】
本発明は、COPである第１板と、COP又はその他の材料から成る第２板の接合によるマイクロ流路チップを製造する方法である。なお、前述のとおり、ここで言う「COP板」（シクロオレフィンポリマーの板）には「COC板」（シクロオレフィンコポリマーの板）を含む。
第２材料としては、COPの他、ポリアミド、ポリエステル、ポリウレタン、ポリシロキサン、フエノール樹脂、ポリサルフアイド、ポリアセタール、ポリアクリロニトリル、ポリビニルクロライド、ポリスチレン、ポリメチルメタクリレート、ポリビニルアセタート、ポリテトラフルオロエチレン、ポリイソプレン、ポリカーボネート、ポリエーテル、ポリイミド、ポリベンゾイミダゾール、ポリベンズオキサゾール、ポリベンゾチアゾール、ポリオキサジアゾール、ポリトリアゾール、ポリキノキサリン、ポリイミダゾピロロン、エポキシ樹脂、並びに芳香族成分及びビニルやシクロブタン基から選択される成分を含む共重合体のような有機物であってもよく、あるいは、ガラス、サファイア、酸化亜鉛、酸化インジウムスズ（ITO）のような無機物であってもよい。
【００１３】
本発明に係るマイクロ流路チップ製造方法では、まず、マイクロ流路チップを構成する2枚の板の一方の板（以下、これを「流路板」と呼ぶ。）の一方の面（「流路形成面」）に流路を形成する。この流路の形成は、機械加工によってもよいし、射出成形や鋳造等の型成形によってもよい。なお、COP板とガラス板等の無機物の板を接合したマイクロ流路チップの場合、流路はCOP板に形成してもよいし、無機物板に形成してもよい。また、マイクロ流路チップでは通常、流路の他に、該流路に液を導入する導入口、又は、液或いは空気を排出する排出口が必要となる。導入口や排出口（以下、これらをまとめて「開口」と呼ぶ。）は通常、流路板ではない方の板（以下、これを「閉鎖板」と呼ぶ。）の方に設けるが、流路板の方に設けてもよい。いずれも、開口はその板を貫通して設けられる。更に、閉鎖面側に追加的に流路を設けてもよい。
【００１４】
次に、流路板の流路形成面及びそれに対向する閉鎖板の面（「閉鎖面」）の温度が40〜100℃の状態で、それらをH2Oプラズマに曝す。もちろん、それ以外の面が該H2Oプラズマに曝されるような状態となっていてもよい。本発明では、流路形成面及び閉塞面の温度を40〜100℃としたことにより、H2Oプラズマに曝された流路形成面及び閉鎖面（これらをそれぞれ「接合面」とも呼ぶ。）並びにそれらに形成された流路や導入口、排出口（開口）等の内部に存在する細菌は、芽胞菌も含めて死滅し、マイクロ流路チップの流路内が滅菌される。
【００１５】
さらに、このH2Oプラズマの中で形成されるOH-やO-により、流路形成面及び閉鎖面（両接合面）の表面に存在しているCOP以外の高分子の一部が酸化されて脱離する。また、それら高分子の主鎖が切断されて低分子量化する。これらにより両接合面が平滑化され（すなわち、表面粗さが小さくなり）、流路形成面と閉鎖面を合わせるステップにおいて、接合面の両側の分子を構成する原子間の距離が小さくなり、両接合面の状態が良い場合には、両板は接着剤を使用しなくとも接合される。また、流路の表面ではCOP等の樹脂やガラス等の無機物が親水化し、流路断面積が小さい場合でも水溶性試料が流れやすくなる。
【００１６】
両板が共にCOPである場合、この接合により両板が光学的にも一体化し、接合面が光学的に現れなくなる。すなわち、接合面において光の屈折や反射が生じず、光は接合面をそのまま直進するようになる。これにより、光学的検出法を用いる場合のノイズを抑えることができる。
【００１７】
なお、上記における「H2Oプラズマ」とは、H2Oの分圧が20%以上のプラズマのことをいい、プラズマガス中にH2O以外に酸素（O2）、窒素（N2）、アンモニア(NH3)、水素(H2)、アルゴン(Ar)、ヘリウム(He)、等のその他のガスが少量含まれていてもよい。
【００１８】
上記の滅菌処理において、H2Oプラズマの圧力を1〜200Paとすることが望ましく、50〜150Paがより望ましい。この範囲の下限よりも低いと十分な滅菌が行えない。また、プラズマ圧力がこの範囲を超えると処理対象物である第１板又は第２板の温度が上昇し、特にCOP板の表面が疎水性に戻る可能性がある。
【００１９】
上記の滅菌処理において、H2Oプラズマに曝すステップがプラズマ発生用の電極に高周波電力を印加することにより行われるステップであって、高周波電力の電極面積当たりの値（パワー密度）が5〜500mW/cm2の範囲内の値であることが好ましい。この範囲の下限よりも低いと十分な滅菌が行えない。また、この範囲を超えると、流路形成面や閉塞面が荒れたり疎水性に戻って接合強度が低下する傾向がある。
【００２０】
また、滅菌処理において、接合面を前記H2Oプラズマに曝す時間は、20〜70分とするのが適当である。この範囲の下限よりも短いと十分な滅菌が行えない。また、処理時間がこの範囲の上限よりも長いと、上記同様、特にCOP板の表面が疎水性に戻る可能性がある。
【００２１】
本発明に係るマイクロ流路チップ製造方法において、流路形成面と閉鎖面を合わせるステップにおいて、両面間に30kPa程度以下の圧力を加えてもよい。また、両面の温度は5〜50℃となるようにすることが望ましい。
【発明の効果】
【００２２】
本発明に係るマイクロ流路チップ製造方法では、COP板とCOP板、又はCOP板とガラス板から成るマイクロ流路チップを、紫外光を用いることなく作製することができ、同時に、マイクロ流路チップの特性に変化を与えることなく、流路や導入口、排出口等の滅菌も行うことができる。
【図面の簡単な説明】
【００２３】
【図１】本発明の好適な実施形態であるマイクロ流路チップ製造方法で用いるプラズマ処理装置の一例の概略構成図。
【図２】前記実施形態で用いたマイクロ流路チップの素材である第１板(a)及び第２板(b)の平面図、並びに、それらを重ねて構成されるマイクロ流路チップの断面図(c)。
【図３】前記実施形態であるマイクロ流路チップ製造方法のフローチャート。
【図４】前記実施形態におけるH2Oプラズマの処理条件をまとめた表。
【発明を実施するための形態】
【００２４】
以下、本発明の好適な実施形態であるマイクロ流路チップの製造方法の一例について、図面を参照しつつ説明する。
＜１．装置構成＞
まず、本発明を実施するために用いるプラズマ処理装置の一例について、その概略構成図である図１を参照しながら説明する。該プラズマ処理装置１００は図１に示されるとおり平行平板型（容量結合型）プラズマ処理装置であり、処理すべき対象物が配置される処理空間Ｖを内部に形成するプラズマ処理室１０、処理空間Ｖに水（具体的には、気体状の水である水蒸気）を導入する水導入部３０、処理空間Ｖを排気する排気部４０、処理空間Ｖに対向配置された一対の電極１１，１２、及びこれら各部を制御する制御部２０を備える。
【００２５】
プラズマ処理室１０には、処理空間Ｖ内にガスを導入するガス導入口１３と、処理空間Ｖ内を排気するための排気口１４とが設けられている。ガス導入口１３には、後述する配管３１が接続されている。また、排気口１４には、後述する配管４１が接続されている。
【００２６】
水導入部３０は、一端がガス導入口１３と接続され、他端が水供給源３５と接続された配管３１を備える。配管３１の途中には、バルブ３２と、配管３１を流れるガスの流量を自動調整するマスフローコントローラ３３と、導入される流体を気化する（ここでは、水を気化して水蒸気とする）ヴェーパライザ（気化装置）３４が設けられている。これら各部３２，３３，３４は制御部２０と電気的に接続されており、制御部２０によって処理空間Ｖへの水蒸気の導入及び停止が制御される。
【００２７】
排気部４０は、一端が排気口１４と接続され、他端が排気ラインに接続された配管４１を備える。配管４１の途中にはバルブ４２と真空ポンプ４３とが設けられている。これら各部４２，４３は制御部２０と電気的に接続されており、制御部２０によって、処理空間Ｖ内からのガスの排気が制御される。
【００２８】
プラズマ処理室１０内に対向配置された一対の電極１１，１２のうち、一方の電極１１には、コンデンサ５１を介してRF電源５２から電力が供給される（以下、この電極１１を「パワード電極１１」と呼ぶ）。また、他方の電極１２は接地される（以下、この電極１２を「接地電極１２」と呼ぶ）。この構成において、パワード電極１１にRF電力が供給されることによって、処理空間Ｖ内に導入されているガスがプラズマ化される。このパワード電極１１へのRF電力の供給も制御部２０により制御される。
【００２９】
なお、このプラズマ処理装置１００では、処理するべき対象物（６１，６２）をパワード電極１１上に載置するRIE（Reactive Ion Etching）モード、接地電極１２上に載置するPE（Plasma Etching）モードの二つのモードから選択してプラズマ処理を行うことができるが、本発明を実施するにあたっては、どちらのモードを用いてもよい。図１ではPEモードでプラズマ処理する場合の配置が例示されている。
【００３０】
対象物（６１，６２）が載置される予定の電極（図１の例では接地電極１２）には、対象物（６１，６２）を該電極に固定するための対象物固定機構と、対象物（６１，６２）のプラズマ処理中の温度を制御するための温度制御機構が設けられている。対象物固定機構としては例えば静電チャックを用いることができる。また、温度制御機構としては、プラズマ処理による処理対象物の温度上昇を制御（抑制）するための冷却機構の他、積極的に加熱するためのヒーターを用いることができる。これら対象物固定機構及び温度制御機構も制御部２０により制御される。
【００３１】
制御部２０は、上記の各要素を制御して、一連の処理を実行させる。制御部２０は、パーソナルコンピュータをハードウエア資源とし、該パーソナルコンピュータにインストールされた専用の制御・処理ソフトウエアを実行することにより、該制御に必要な各種の機能ブロックが具現化される構成とすることができる。
【００３２】
＜２．処理の流れ＞
上記プラズマ処理装置１００を用いた本発明に係るマイクロ流路チップ製造方法について、次に説明する。ここで用いたマイクロ流路チップの素材である2枚の板（第１板６１及び第２板６２）の平面図を図２(a)(b)に示す。図２の例では、第１板６１及び第２板６２はいずれもシクロオレフィンポリマー（COP）を素材とする、横70mm、縦30mm、厚さ0.5mmの薄板である。図２(a)に示すように、第１板６１の一方の面（流路形成面）に流路溝６３が形成されている。流路溝６３の幅は100μm、深さは50μmである。図２(b)に示すように、該流路溝６３の両端に対応する位置の第２板６２に、導入口及び排出口（以下、これらをまとめて開口６４と呼ぶ。）が形成されている。開口６４は第２板６２を貫通しており、その径は6mmである。従って、この例の場合、第１板６１が流路板であり、第２板が閉鎖板となっている。後に説明するように、流路形成面を間にして両者を接合することによりマイクロ流路チップ６０（図２(c)）が製造される。このマイクロ流路チップ製造方法を、図３のフローチャートを参照しながら説明する。
【００３３】
ステップＳ１：まず、第１板６１の流路形成面に流路溝６３を、第２板６２に開口６４を形成する。これらの加工は、COPの平板にマイクロ機械加工により形成してもよいし、専用型を用いた射出成形により製造してもよい。第１板６１及び第２板６２の接合面（後述）の表面粗さは、共にRa10nm以下としておくことが望ましい。
【００３４】
ステップＳ２：次に、第１板６１及び第２板６２の接合面をH2Oプラズマで処理する。具体的には、まず、図示しない搬入口を介して第１板６１及び第２板６２をプラズマ処理室１０に搬入し、接合面を上にして接地電極１２上に載置する。第１板６１では、流路が形成された面（流路形成面）が接合面となるので、流路形成面を上にする。第２板６２はいずれの面を上にしても構わないが、上にした面が後に接合面となる。両板６１、６２を接地電極１２上にセットした後、対象物固定機構で該電極上に固定する。なお、前述のとおり、処理モードによっては対象物である第１板６１及び第２板６２を載置するのはパワード電極１１上となる。
【００３５】
続いて、処理空間ＶにH2Oプラズマを形成する。具体的には、前記搬入口を閉鎖してプラズマ処理室１０を密閉した後、処理空間Ｖへの水蒸気（H2Oガス）の導入を行い、これと同時に、処理空間Ｖの排気を行って、処理空間Ｖ内の圧力が100Paとなるようにする。この圧力は、1〜200Paの範囲内、さらには50〜150Paの範囲内としておくことが望ましい。処理空間Ｖ内に導入される水蒸気（H2Oガス）の流量は200sccmである（本実施形態では、処理空間Ｖの容積は25,000〜130,000cm3である）。H2Oガスの流量は1〜400sccmとすることが望ましい。続いて、パワード電極１１に200Wの高周波電力を投入する（本実施形態では、パワード電極１１の面積は2975cm2であるため、電極面積当たりの投入電力（パワー密度）は67mW/cm2である）。パワー密度は、5〜500mW/cm2の範囲内としておくことが望ましい。
【００３６】
これにより、処理空間Ｖ内に導入されている水蒸気がプラズマ化されてH2Oプラズマが形成され、該H2Oプラズマに曝されている両板６１，６２の接合面のプラズマ処理が進行する。このとき、制御部２０は、処理対象物である第１板６１及び第２板６２が載置されている電極（図１の場合、接地電極１２）の温度制御機構を制御することにより、プラズマ処理中の第１板６１及び第２板６２の温度がほぼ60℃に維持されるようにする。この温度は、40〜100℃の範囲内としておくことが望ましい。
【００３７】
H2Oプラズマによる処理が開始されてから所定時間が経過すると、制御部２０はバルブ３２を閉鎖して水蒸気の供給を停止するとともに高周波電力の供給を停止して、処理を終了する。この所定時間（すなわち、両板６１，６２の接合面をH2Oプラズマに曝す時間）は、60分程度とする。この時間は、20〜70分の範囲内としておくことが望ましい。これにより、後述するように、第１板６１の流路溝６３及び開口６４の内面及び両板６１、６２の接合面は十分な滅菌が達成される。また、両接合面及び流路の親水化も達成される。さらには第１板６１の流路溝６３及び開口６４の内面及び両板６１、６２の接合面は十分な親水化も達成されるので微少量の試料を容易に流すことができる。本実施形態によるH2Oプラズマの処理条件を図４にまとめた。図４の上段が、様々な条件を勘案した場合に望ましい範囲であり、下段が本発明者らが一例として実施した際の数値である。
【００３８】
H2Oプラズマによる第１板６１及び第２板６２の表面処理が終了した後、処理空間Ｖが大気圧に戻され、前記搬入口を介して両板６１，６２がプラズマ処理室１０から搬出される。ただし、プラズマ処理室１０内に専用の機構を設けておくことにより、この時点で両板６１，６２をプラズマ処理室１０から搬出するのではなく、プラズマ処理室１０内で引き続き次のステップＳ３の接合処理を行ってもよい。
【００３９】
ステップＳ３：続いて、第１板６１の接合面と第２板６２の接合面を合わせる。すると、両接合面は、加熱や外部からの加圧をしなくとも、常温で自重のみにより接合される。ただし、このように常温で自重のみにより接合する場合は、H2Oプラズマによる処理が終了してから30分以内に行うことが好ましい。第１板６１又は第２板６２が十分大きな質量を持たない場合（すなわち、接合圧力が過小である場合）や、H2Oプラズマによる処理終了後、より長い時間が経過してしまった場合、両接合面が理想的な状態でなかった場合等には、両接合面の接合の際に加圧又は加熱を併用してもよい。
【００４０】
以上の処理によって第１板６１と第２板６２が接合され、流路溝６３及び開口６４内が十分に滅菌されたマイクロ流路チップが完成する（図２(c)）。
【００４１】
本発明のマイクロ流路チップは、事後的に滅菌工程を経ることなく流路内部を十分に滅菌できる。つまり、高温の蒸気や熱を用いないので微細な流路が変形するおそれがない。また、電子線を照射する必要もないので電子線によりマイクロ流路チップの透明度が低下することがなく流路内の試料を光学的に分析する際に分析結果に影響が生じることがない。
【００４２】
上記実施形態では、第１板６１、第２板６２ともCOP板としたが、平板（閉鎖板）である第２板６２についてはガラス板とすることもできる。また、流路溝６３及び開口６４の寸法の正確さや安定性が要求される場合には、流路板の方をガラス板としてもよい。これらの場合でも、本発明に係る製造方法を用いることにより滅菌処理の効果は同様に得られ、親水性の改善効果も得られる。
【符号の説明】
【００４３】
１０…プラズマ処理室
１００…プラズマ処理装置
１１…パワード電極
１２…接地電極
１３…ガス導入口
１４…排気口
２０…制御部
３０…水導入部
４０…排気部
５２…RF電源
６０…マイクロ流路チップ
６１…第１板
６２…第２板
６３…流路溝
６４…開口（導入口・排出口）
【図１】
2020011304.tif 000003
【図２】
2020011304.tif 000004
【図３】
2020011304.tif 000005
【図４】
2020011304.tif 000006